(57)【要約】  この発明の放射線検出器（ＦＰＤ）によれば、絶縁補助板６はアクティブマトリックス基板１と同程度の弾性および熱膨張率を持つ材料で形成され、アクティブマトリックス基板１と絶縁補助板６との間に各層（半導体層２，共通電極３，絶縁樹脂層５および絶縁合成樹脂カバー７）が挟み込まれるので、温度変化によるＦＰＤの反り、これらの層の亀裂を防止することができる。また、絶縁合成樹脂カバー７は絶縁樹脂層５と同程度の弾性および熱膨張率を持つ材料で形成されているので、温度変化による応力が発生しにくく、絶縁樹脂層５に内部応力が蓄積しにくい。絶縁補助板６と絶縁合成樹脂カバー７とを接合材８によって接合させれば、新たに設けた絶縁合成樹脂カバー７によってＦＰＤの構造を実現することができる。その結果、環境が変わっても長寿命なＦＰＤを実現することができる。
2013080251.tif 000002
【特許請求の範囲】
【請求項１】
放射線の入射により電荷を生成して読み出すことにより放射線を検出する放射線検出器であって、
（ａ）前記電荷を収集する複数の収集電極が２次元マトリックス状に配列され、前記収集電極の各々から前記電荷に基づく放射線検出信号を読み出すマトリックス基板と、
（ｂ）前記放射線の入射により前記電荷を生成する放射線感応型の半導体層と、
（ｃ）前記放射線感応型の半導体層にバイアス電圧を印加する共通電極と、
（ｄ）前記放射線感応型の半導体層および前記共通電極の露出面上の表面全体を覆う絶縁樹脂層と、
（ｅ）絶縁樹脂カバーと、
（ｆ）絶縁補助板と
を備え、
（ａ）マトリックス基板，（ｂ）放射線感応型の半導体層，（ｃ）共通電極，（ｄ）絶縁樹脂層，（ｅ）絶縁樹脂カバーおよび（ｆ）絶縁補助板がこの順に積層されており、
前記絶縁補助板は前記マトリックス基板と同程度の弾性および熱膨張率を持つ材料で形成され、
前記絶縁樹脂カバーは前記絶縁樹脂層と同程度の弾性および熱膨張率を持つ材料で形成され、
前記絶縁補助板と前記絶縁樹脂カバーとは接合材によって接合されることを特徴とする放射線検出器。
【請求項２】
請求項１に記載の放射線検出器において、
前記放射線感応型の半導体層と前記共通電極との間にキャリア選択性の中間層を形成するとともに、
前記放射線感応型の半導体層と前記収集電極との間にキャリア選択性の中間層を形成することを特徴とする放射線検出器。
【請求項３】
請求項１に記載の放射線検出器において、
前記放射線感応型の半導体層と前記共通電極との間のみにキャリア選択性の中間層を形成することを特徴とする放射線検出器。
【請求項４】
請求項１に記載の放射線検出器において、
前記放射線感応型の半導体層と前記収集電極との間のみにキャリア選択性の中間層を形成することを特徴とする放射線検出器。
【請求項５】
請求項１から請求項４のいずれかに記載の放射線検出器において、
前記絶縁樹脂層はエポキシ樹脂であり、
前記絶縁樹脂カバーの引張弾性率が１ＧＰａ以上から１０ＧＰａ以下の範囲であり、線膨張係数が３０×１０−６／Ｋ以上から３００×１０−６／Ｋ以下の範囲であり、
前記マトリックス基板はガラスであり、
前記絶縁補助板の引張弾性率が５０ＧＰａ以上であり、線膨張係数が０．１×１０−６／Ｋ以上から１０×１０−６／Ｋ以下の範囲であることを特徴とする放射線検出器。
【請求項６】
請求項１から請求項５のいずれかに記載の放射線検出器において、
前記絶縁樹脂カバーは高分子樹脂であることを特徴とする放射線検出器。
【請求項７】
請求項６に記載の放射線検出器において、
前記絶縁樹脂カバーは、ポリカーボネート，ポリエチレンテレフタレート，ポリプロピレンのいずれかであることを特徴とする放射線検出器。
【請求項８】
請求項１から請求項７のいずれかに記載の放射線検出器において、
前記絶縁補助板はガラスであることを特徴とする放射線検出器。
【請求項９】
請求項１から請求項８のいずれかに記載の放射線検出器において、
前記絶縁補助板と前記絶縁樹脂カバーとを接合する前記接合材は、シリコーン樹脂系の接着剤であることを特徴とする放射線検出器。
【請求項１０】
請求項１から請求項９のいずれかに記載の放射線検出器において、
前記絶縁補助板と前記絶縁樹脂カバーとを接合する前記接合材は、粘着テープであることを特徴とする放射線検出器。
【請求項１１】
請求項１から請求項１０のいずれかに記載の放射線検出器において、
前記絶縁補助板と前記絶縁樹脂カバーとを接合する前記接合材は、合成ゴムであることを特徴とする放射線検出器。
【請求項１２】
請求項１から請求項１１のいずれかに記載の放射線検出器において、
前記絶縁補助板と前記絶縁樹脂カバーとは、周辺領域のみで接合されることを特徴とする放射線検出器。
【請求項１３】
請求項１から請求項１２のいずれかに記載の放射線検出器において、
放射線検出有効エリアでの前記絶縁樹脂層の厚みが、放射線検出有効エリア外にある周辺領域での前記絶縁樹脂層の厚みよりも薄く形成されていることを特徴とする放射線検出器。
【請求項１４】
請求項１３に記載の放射線検出器において、
前記絶縁樹脂カバーを前記放射線検出有効エリアにて窪ませて一体形成し、
前記絶縁樹脂カバーが窪んだ窪み部分に前記絶縁補助板を載せて接合することを特徴とする放射線検出器。
【請求項１５】
請求項１３に記載の放射線検出器において、
前記放射線検出有効エリアが開口した固定枠を備え、
前記固定枠の開口部分に、前記絶縁補助板および前記絶縁樹脂カバーを互いに接合したものを内側から固定することで、前記絶縁樹脂カバー，前記絶縁補助板および前記固定枠の順に積層することを特徴とする放射線検出器。
【請求項１６】
請求項１から請求項１５のいずれかに記載の放射線検出器において、
前記絶縁補助板と前記絶縁樹脂カバーとの間に弾性材料からなる緩衝材を介在させることを特徴とする放射線検出器。
【請求項１７】
請求項１６に記載の放射線検出器において、
前記緩衝材の両面に前記接合材を設けて、
前記絶縁補助板と前記緩衝材とを当該接合材によって接合するとともに、前記絶縁樹脂カバーと前記緩衝材とを当該接合材によって接合することにより、前記絶縁補助板と前記絶縁樹脂カバーとを接合することを特徴とする放射線検出器。
【請求項１８】
請求項１６または請求項１７に記載の放射線検出器において、
放射線検出有効エリアでは、前記絶縁補助板と前記絶縁樹脂カバーとの間に前記緩衝材を介在させて、
放射線検出有効エリア外にある周辺領域では、前記絶縁補助板と前記絶縁樹脂カバーとを前記接合材によって直接的に接合することを特徴とする放射線検出器。
【請求項１９】
請求項１６から請求項１８のいずれかに記載の放射線検出器において、
前記緩衝材は導電性であることを特徴とする放射線検出器。
【発明の詳細な説明】
【技術分野】
【０００１】
この発明は、放射線の入射により電荷を生成して読み出すことにより放射線を検出する放射線検出器に係り、医療分野，工業分野，さらには、原子力分野などに用いられる放射線検出器に関する。
【背景技術】
【０００２】
従来、この種の放射線（例えばＸ線）検出器には、放射線（例えばＸ線）の入射により光を一旦生成して、その光から電荷を生成することで、放射線から電荷に間接的に変換して放射線を検出する「間接変換型」の検出器と、放射線の入射により電荷を生成することで、放射線から電荷に直接的に変換して放射線を検出する「直接変換型」の検出器とがある。なお、放射線感応型の半導体が電荷を生成する。【０００３】
直接変換型の放射線検出器は、図８に示すように、アクティブマトリックス基板５１と、放射線の入射により電荷を生成する放射線感応型の半導体５２と、バイアス電圧印加用の共通電極５３とを備えている。アクティブマトリックス基板５１は、放射線の入射面側に複数の収集電極（図示省略）を形成し、各収集電極で収集される電荷の蓄積・読み出し用電気回路（図示省略）を配設して構成されている。各収集電極については放射線検出有効エリアＳＡ内で２次元状マトリックス配列で設定している。【０００４】
このアクティブマトリックス基板５１の収集電極の入射面側に半導体５２を積層し、その半導体５２の入射側に共通電極５３を面状に形成して積層している。そして、共通電極５３の入射面にバイアス電圧給電用のリード線５４を接続している。【０００５】
放射線検出器によって放射線を検出する際には、バイアス供給電源（図示省略）からバイアス電圧を、バイアス電圧給電用のリード線５４を介してバイアス電圧印加用の共通電極５３に印加する。バイアス電圧を印加した状態で、放射線の入射に伴って放射線感応型の半導体５２で電荷を生成する。この生成された電荷を収集電極で一旦収集する。コンデンサやスイッチング素子および電気配線等からなる蓄積・読み出し用電気回路によって、収集された電荷を各収集電極毎の放射線検出信号として取り出す。【０００６】
２次元状マトリックス配列の各収集電極は、放射線画像の各画素に対応する電極（画素電極）にそれぞれ対応している。放射線検出信号を取り出すことで、放射線検出有効エリアＳＡに投影される放射線の２次元強度分布に応じた放射線画像を作成することができる。【０００７】
図８に示す放射線検出器では、特にアモルファスセレンのようなアモルファス（非晶質）半導体厚膜を放射線感応型の半導体層として用いる場合、アモルファス半導体は真空蒸着等の方法によって厚くて広い膜を容易に形成することができる。したがって、アモルファス半導体は、大面積厚膜が必要な２次元アレイ型放射線検出器を構成するのに適している。【０００８】
しかし、図８に示す従来の放射線検出器の場合には、高電圧のバイアス電圧を印加して使用するので、沿面放電の問題が発生する。そこで、図９に示すように、沿面放電を抑えるために半導体５２および共通電極５３の露出面上の表面全体を、例えばシリコーン樹脂からなる高耐圧の絶縁樹脂層５５で覆った構造が本発明者等から提案されている（例えば、特許文献１参照）。【０００９】
しかし、この構造では、温度変化により放射線検出器に反りが生じ、絶縁樹脂層５５，半導体５２，共通電極５３に亀裂が入る。また、キャリア選択性の高抵抗薄膜からなる中間層が半導体５２の入射面あるいは当該入射面とは逆側の面に形成されている場合には、当該中間層にも亀裂が入る。これらの層に亀裂が入ることにより、沿面放電耐圧が不十分となる。【００１０】
そこで、反り対策のために、図１０に示すように、例えばエポキシ樹脂などに代表される高耐圧の硬化性合成樹脂からなる絶縁樹脂層５５の上側（入射側）に、アクティブマトリックス基板５１と同程度の熱膨張係数を持つ絶縁補助板５６で覆って、アクティブマトリックス基板５１と絶縁補助板５６とで絶縁樹脂層５５を挟み込む構造が本発明者等から提案されている（例えば、特許文献２参照）。ただ、この構造の場合には、放射線検出有効エリアＳＡを含めて絶縁樹脂層５５が厚く形成されているので、絶縁樹脂層５５により放射線が減衰するという問題が生じる。【００１１】
そこで、図１１に示すように、放射線検出有効エリアＳＡでの絶縁樹脂層５５の厚みが、放射線検出有効エリアＳＡ外にある周辺領域での絶縁樹脂層５５の厚みよりも薄く形成された構造も本発明者等から提案されている（例えば、特許文献３参照）。この構造の場合には、放射線検出有効エリアＳＡでは絶縁樹脂層５５が薄く形成されているので、絶縁樹脂層５５による放射線の減衰を極力抑えることができる。
【先行技術文献】
【特許文献】
【００１２】
【特許文献１】特開２００２−９２６８号公報
【特許文献２】特開２００２−３１１１４４号公報
【特許文献３】特開２００５−２８６１８３号公報
【発明の概要】
【発明が解決しようとする課題】
【００１３】
しかしながら、放射線検出器の製造場の温度環境は通常２０℃〜２５℃であるが、使用環境がこの温度範囲と同じであるとは限らないという問題点がある。ましてや、放置・運搬環境は、さらにかけ離れた温度になる可能性がある。製造時の温度と異なる温度環境に長時間晒されると、反り対策を講じた図１０（特許文献２）や図１１（特許文献３）を使用したときでも、各膜に亀裂やピンホール等の膜破壊が発生して検出器の性能が劣化していくことが近年判明した。【００１４】
この発明は、このような事情に鑑みてなされたものであって、環境が変わっても長寿命な放射線検出器を提供することを目的とする。
【課題を解決するための手段】
【００１５】
発明者らは、上記の問題を解決するために鋭意研究した結果、次のような知見を得た。【００１６】
すなわち、放射線検出器を長時間使用していると欠損画素が増える傾向があることが判明した。ここで欠損画素とは、出力される放射線画像の通常の画素値と比べて極端に値が大きいあるいは小さい画素のことを示す。欠損画素が生じる原因としては、絶縁樹脂層内の内部応力が考えられる。図１０（特許文献２）や図１１（特許文献３）の放射線検出器を使用した場合に反りが発生しないことは認識されていたが、これらの放射線検出器を長時間使用した場合に絶縁樹脂層内に内部応力が蓄積することについては認識されていなかった。【００１７】
近年、図１０（特許文献２）や図１１（特許文献３）の放射線検出器を長時間使用した場合に、反りが発生しない半面、絶縁樹脂層に内部応力が蓄積し、長時間かけて共通電極やキャリア選択性の中間層に応力腐食を発生させることがわかってきた。このように長時間使用することにより、弾性および熱膨張率が異なる絶縁補助板が絶縁樹脂層に直接的に徐々に応力をかけ続けたことが原因ではないかという知見を得た。この絶縁樹脂層内の内部応力の課題は、図１１（特許文献３）のように中央領域である放射線検出有効エリアでの絶縁補助板を窪ませて絶縁樹脂層の厚みを薄くしても解消できないことがわかっている。【００１８】
そこで、絶縁樹脂層内の内部応力を抑制するには、絶縁樹脂層と同程度の弾性および熱膨張率を有する部材を、絶縁樹脂層と絶縁補助板との間に介在させれば、内部応力を抑制する可能性があるという知見を得た。そして、絶縁樹脂層と同程度の弾性および熱膨張率を有する部材として絶縁樹脂カバーを採用すれば、絶縁樹脂カバーが応力を緩衝させ、内部応力を確実に抑制することができる筈という知見を得た。ただ、絶縁樹脂カバー自体は接合力がないので、絶縁補助板と絶縁樹脂カバーとを接合材によって接合させれば、新たに設けた絶縁樹脂カバーによって放射線検出器の構造を実現することができる筈という知見を得た。【００１９】
かかる知見の下で、図１２のような実験用の放射線検出器を用いて、図１３の高温サーモ試験で確認してみた。図１２（ａ）の平面図に示すように、全領域を、領域ＰＣＡ，領域Ｇａ，領域ＰＣＢおよび領域Ｇｂに４分割する。図１２（ｂ）の断面図に示すように、領域ＰＣＡではポリカーボネート（PC: polycarbonate）からなる絶縁合成樹脂カバー５７を、絶縁樹脂層５５と（ガラスからなる）絶縁補助板５６との間に介在させる。一方、図１２（ｂ）の断面図に示すように、領域Ｇａでは従来の構造と同様に絶縁樹脂層５５の上側に絶縁補助板５６で直接に覆う。同様に、領域ＰＣＢでは絶縁合成樹脂カバー５７を、絶縁樹脂層５５と絶縁補助板５６との間に介在させ、領域Ｇｂでは従来の構造と同様に絶縁樹脂層５５の上側に絶縁補助板５６で直接に覆う。なお、図１２に示すように、絶縁補助板５６と絶縁合成樹脂カバー５７とを接合する接合材５８として粘着テープを使用する。各領域ＰＣＡ，Ｇａ，ＰＣＢおよびＧｂでの画素は縦1400×横1400である。【００２０】
図１２に示す実験用の放射線検出器を用いて、温度３５℃で共通電極に１０ｋＶの電圧を印加（通電）して欠損画素の発生を各領域で比較した高温サーモ試験は図１３の通りである。図１３に示すように、ポリカーボネート（ＰＣ）からなる絶縁合成樹脂カバーの有無で明瞭な違いが表れている。絶縁合成樹脂カバーがある領域ＰＣＡ，ＰＣＢでは５０００時間経過後も欠損画素数が１０個以下であるのに対し、絶縁合成樹脂カバーがないガラスのみの領域Ｇａ，Ｇｂでは２０００時間経過程度から欠損画素数が増え始め、４０００時間後には領域Ｇａでは５０００個を超過した。この様子は、５０００時間経過後の欠損画像（図示省略）でも確認することができた。画像中の白点が欠損画素である。特に、領域Ｇａ，Ｇｂの端部（周辺領域）において欠損画素は集中して分布し、全体的にも欠損画素は分布して領域Ｇａ，Ｇｂでの画像は白っぽく見える。対して、領域ＰＣＡ，ＰＣＢでの画像は全体的に黒っぽい。その結果、各領域ＰＣＡ，Ｇａ，ＰＣＢおよびＧｂでの境界が明瞭になった。このように、図１３の結果によってこの発明の効果を確認することができた。【００２１】
さらに、高温サーモ試験５８００時間経過後の共通電極表面を、光学顕微鏡で拡大して観察すると、図１４（ａ）に示すように領域ＰＣＡには異常が見られないが、領域Ｇａには、図１４（ｂ）に示すような多数のピンホールが観測された。このように、図１４の結果からもこの発明の効果を確認することができた。なお、図１４の大きな黒点はマトリックス基板上のコンタクトホールである。【００２２】
このような知見に基づくこの発明は、次のような構成をとる。
すなわち、この発明に係る放射線検出器は、放射線の入射により電荷を生成して読み出すことにより放射線を検出する放射線検出器であって、（ａ）前記電荷を収集する複数の収集電極が２次元マトリックス状に配列され、前記収集電極の各々から前記電荷に基づく放射線検出信号を読み出すマトリックス基板と、（ｂ）前記放射線の入射により前記電荷を生成する放射線感応型の半導体層と、（ｃ）前記放射線感応型の半導体層にバイアス電圧を印加する共通電極と、（ｄ）前記放射線感応型の半導体層および前記共通電極の露出面上の表面全体を覆う絶縁樹脂層と、（ｅ）絶縁樹脂カバーと、（ｆ）絶縁補助板とを備え、（ａ）マトリックス基板，（ｂ）放射線感応型の半導体層，（ｃ）共通電極，（ｄ）絶縁樹脂層，（ｅ）絶縁樹脂カバーおよび（ｆ）絶縁補助板がこの順に積層されており、前記絶縁補助板は前記マトリックス基板と同程度の弾性および熱膨張率を持つ材料で形成され、前記絶縁樹脂カバーは前記絶縁樹脂層と同程度の弾性および熱膨張率を持つ材料で形成され、前記絶縁補助板と前記絶縁樹脂カバーとは接合材によって接合されることを特徴とするものである。【００２３】
この発明の放射線検出器によれば、絶縁樹脂カバーを備え、マトリックス基板，放射線感応型の半導体層，共通電極，絶縁樹脂層，絶縁樹脂カバーおよび絶縁補助板がこの順に積層されている。絶縁補助板はマトリックス基板と同程度の弾性および熱膨張率を持つ材料で形成され、マトリックス基板と絶縁補助板との間にこれらの層（放射線感応型の半導体層，共通電極，絶縁樹脂層および絶縁樹脂カバー）が挟み込まれるので、温度変化による放射線検出器の反り、これらの層の亀裂を防止することができる。また、絶縁樹脂カバーは絶縁樹脂層と同程度の弾性および熱膨張率を持つ材料で形成されているので、温度変化による応力が発生しにくく、絶縁樹脂層に内部応力が蓄積しにくい。絶縁補助板と絶縁樹脂カバーとを接合材によって接合させれば、新たに設けた絶縁樹脂カバーによって放射線検出器の構造を実現することができる。その結果、環境が変わっても長寿命な放射線検出器を実現することができる。なお、本明細書中での「同程度」とは、弾性（後述する引張弾性率）および熱膨張率（後述する線膨張係数）における各々の数値の桁が変わらない程度を示し、数値の数倍もしくは数分の一までの範囲である。【００２４】
上述したこの発明の放射線検出器において、放射線感応型の半導体層と共通電極との間にキャリア選択性の中間層を形成するとともに、放射線感応型の半導体層と収集電極との間にキャリア選択性の中間層を形成してもよいし、放射線感応型の半導体層と共通電極との間のみにキャリア選択性の中間層を形成してもよいし、放射線感応型の半導体層と収集電極との間のみにキャリア選択性の中間層を形成してもよい。放射線感応型の半導体層の入射面（共通電極側の面）あるいは当該入射面とは逆側の面（収集電極側の面）に中間層を形成することで、暗電流を低減させることができる。【００２５】
上述したこれらの発明の放射線検出器の一例は、絶縁樹脂層はエポキシ樹脂であり、絶縁樹脂カバーの引張弾性率が１ＧＰａ以上から１０ＧＰａ以下の範囲であり、線膨張係数が３０×１０−６／Ｋ以上から３００×１０−６／Ｋ以下の範囲であり、マトリックス基板はガラスであり、絶縁補助板の引張弾性率が５０ＧＰａ以上であり、線膨張係数が０．１×１０−６／Ｋ以上から１０×１０−６／Ｋ以下の範囲である。絶縁樹脂層としてエポキシ樹脂を採用することにより、引張弾性率が１ＧＰａ以上から１０ＧＰａ以下の範囲であり、線膨張係数が３０×１０−６／Ｋ以上から３００×１０−６／Ｋ以下の範囲の絶縁樹脂カバーと、エポキシ樹脂からなる絶縁樹脂層とは、互いに同程度の弾性および熱膨張率を持つ。また、マトリックス基板としてガラスを採用することにより、引張弾性率が５０ＧＰａ以上であり、線膨張係数が０．１×１０−６／Ｋ以上から１０×１０−６／Ｋ以下の範囲の絶縁補助板と、ガラスからなるマトリックス基板とは、互いに同程度の弾性および熱膨張率を持つ。【００２６】
上述したこれらの発明の放射線検出器において、絶縁樹脂カバーは高分子樹脂であるのが好ましい。高分子樹脂で絶縁樹脂カバーを簡易に形成することができる。特に、高分子樹脂として、ポリカーボネート（ＰＣ），ポリエチレンテレフタレート（PET: poly ethylene terephthalate），ポリプロピレン（PP: polypropylene）などが挙げられ、絶縁樹脂カバーは、ポリカーボネート，ポリエチレンテレフタレート，ポリプロピレンのいずれかである。【００２７】
また、上述したこれらの発明の放射線検出器において、絶縁補助板はガラスであるのが好ましい。上述したように、マトリックス基板としてガラスを採用した場合には、ガラスからなる絶縁補助板と、同じくガラスからなるマトリックス基板とは、互いに同程度の弾性および熱膨張率を持つ。【００２８】
また、絶縁補助板と絶縁樹脂カバーとを接合する接合材は、シリコーン樹脂系の接着剤や粘着テープや合成ゴムなどが好ましく、これらを組み合わせてもよい。これらの材料は柔軟性の高い接合材であるので、温度変化による絶縁樹脂層の膨張収縮に許容性があり、絶縁樹脂層内の内部応力の発生をより一層抑制することができる。もちろん、接合材は、これらの柔軟性の高い接合材に限定されず、エポキシ樹脂系の接着剤などに代表される柔軟性の低い接合材であってもよい。【００２９】
また、絶縁補助板と絶縁樹脂カバーとを接合する領域については特に限定されず、例えば放射線検出有効エリアを含んだ全面であってもよいが、絶縁補助板と絶縁樹脂カバーとは、周辺領域のみで接合されているのが好ましい。この場合には、中央領域である放射線検出有効エリアには接合材がないので、柔軟性の高い接合材の効果と同じく、温度変化による絶縁樹脂層の膨張収縮に許容性があり、絶縁樹脂層内の内部応力の発生をより一層抑制することができる。したがって、絶縁補助板と絶縁樹脂カバーとを柔軟性の低い接合材で周辺領域のみで接合することができる。もちろん、絶縁補助板と絶縁樹脂カバーとを柔軟性の高い接合材で周辺領域のみで接合してもよい。【００３０】
上述したこれらの発明の放射線検出器と図１１（特許文献３）とを組み合わせた構造であってもよい。
すなわち、上述したこれらの発明の放射線検出器において、放射線検出有効エリアでの絶縁樹脂層の厚みが、放射線検出有効エリア外にある周辺領域での絶縁樹脂層の厚みよりも薄く形成されていてもよい。この構造の場合には、長寿命な放射線検出器を実現する効果に加えて、絶縁樹脂層による放射線の減衰を極力抑えることができる。【００３１】
この構造の場合において、絶縁樹脂カバーを放射線検出有効エリアにて窪ませて一体形成し、絶縁樹脂カバーが窪んだ窪み部分に絶縁補助板を載せて接合する。絶縁樹脂カバーが窪んだ分だけ、放射線検出有効エリアでの絶縁樹脂層の厚みを、周辺領域での絶縁樹脂層の厚みよりも薄く形成することができる。【００３２】
この他にも、放射線検出有効エリアが開口した固定枠を備え、固定枠の開口部分に、絶縁補助板および絶縁樹脂カバーを互いに接合したものを内側から固定することで、絶縁樹脂カバー，絶縁補助板および固定枠の順に積層する。絶縁補助板および絶縁樹脂カバーが固定枠よりも内側に窪んだ分だけ、放射線検出有効エリアでの絶縁樹脂層の厚みを、周辺領域での絶縁樹脂層の厚みよりも薄く形成することができる。【００３３】
また、上述したこれらの発明の放射線検出器において、絶縁補助板と絶縁樹脂カバーとの間に弾性材料からなる緩衝材を介在させるのが好ましい。絶縁樹脂層内の内部応力を緩衝材によって均一に分散させることができる。【００３４】
緩衝材を介在させた場合において、緩衝材の両面に接合材を設けて、絶縁補助板と緩衝材とを当該接合材によって接合するとともに、絶縁樹脂カバーと緩衝材とを当該接合材によって接合することにより、絶縁補助板と前記絶縁樹脂カバーとを接合する（前者の構造）。この他にも、放射線検出有効エリアでは、絶縁補助板と絶縁樹脂カバーとの間に緩衝材を介在させて、放射線検出有効エリア外にある周辺領域では、絶縁補助板と絶縁樹脂カバーとを接合材によって直接的に接合する（後者の構造）。もちろん、前者の構造と後者の構造とを両方組み合わせてもよい。【００３５】
緩衝材は導電性であってもよい。緩衝材が導電性である場合には、絶縁補助板と絶縁樹脂カバーとの間に溜まる静電気を放電することができ、静電ノイズ防止効果が得られる。もちろん、緩衝材は導電性である必要はない。
【発明の効果】
【００３６】
この発明に係る放射線検出器によれば、絶縁補助板はマトリックス基板と同程度の弾性および熱膨張率を持つ材料で形成され、マトリックス基板と絶縁補助板との間に各層（放射線感応型の半導体層，共通電極，絶縁樹脂層および絶縁樹脂カバー）が挟み込まれるので、温度変化による放射線検出器の反り、これらの層の亀裂を防止することができる。また、絶縁樹脂カバーは絶縁樹脂層と同程度の弾性および熱膨張率を持つ材料で形成されているので、温度変化による応力が発生しにくく、絶縁樹脂層に内部応力が蓄積しにくい。絶縁補助板と絶縁樹脂カバーとを接合材によって接合させれば、新たに設けた絶縁樹脂カバーによって放射線検出器の構造を実現することができる。その結果、環境が変わっても長寿命な放射線検出器を実現することができる。
【図面の簡単な説明】
【００３７】
【図１】実施例１に係るフラットパネル型Ｘ線検出器（ＦＰＤ）の概略断面図である。
【図２】フラットパネル型Ｘ線検出器（ＦＰＤ）のアクティブマトリックス基板の等価回路を示すブロック図である。
【図３】フラットパネル型Ｘ線検出器（ＦＰＤ）のアクティブマトリックス基板の概略断面図である。
【図４】（ａ）〜（ｃ）は、キャリア選択性の高抵抗半導体層である中間層の組み合わせをそれぞれ示した概略断面図である。
【図５】実施例２に係るフラットパネル型Ｘ線検出器（ＦＰＤ）の概略断面図である。
【図６】（ａ），（ｂ）は、実施例３に係るフラットパネル型Ｘ線検出器（ＦＰＤ）の概略断面図である。
【図７】（ａ）〜（ｃ）は、実施例４に係るフラットパネル型Ｘ線検出器（ＦＰＤ）の概略断面図である。
【図８】従来の放射線検出器の概略断面図である。
【図９】図８とは別の従来の放射線検出器の概略断面図である。
【図１０】図８、図９とは別の従来の放射線検出器の概略断面図である。
【図１１】図８〜図１０とは別の従来の放射線検出器の概略断面図である。
【図１２】（ａ）は、実験用の放射線検出器の概略平面図、（ｂ）は、実験用の放射線検出器の概略断面図である。
【図１３】実験用の放射線検出器を用いて得られた高温サーモ試験のグラフである。
【図１４】実験用の放射線検出器の高温サーモ試験５８００時間経過後表面の光学顕微鏡拡大写真である。
【実施例１】
【００３８】
以下、図面を参照してこの発明の実施例1を説明する。図１は、実施例１に係る直接変換型のフラットパネル型Ｘ線検出器（以下、適宜「ＦＰＤ」と略記する）の概略断面図であり、図２は、フラットパネル型Ｘ線検出器（ＦＰＤ）のアクティブマトリックス基板の等価回路を示すブロック図であり、図３は、フラットパネル型Ｘ線検出器（ＦＰＤ）のアクティブマトリックス基板の概略断面図である。後述する実施例２〜４も含めて、本実施例１では、放射線検出器としてフラットパネル型Ｘ線検出器（ＦＰＤ）を例に採って説明する。【００３９】
本実施例１に係るＦＰＤは、図１に示すように、アクティブマトリックス基板１と、放射線（実施例１〜４ではＸ線）の入射により電荷を生成する放射線感応型の半導体２と、バイアス電圧印加用の共通電極３とを備えている。アクティブマトリックス基板１は、図２、図３に示すように、放射線の入射面側に複数の収集電極１１を形成し、各収集電極１１で収集される電荷の蓄積・読み出し用電気回路１２を配設して構成されている。各収集電極１１については放射線検出有効エリアＳＡ内で２次元状マトリックス配列で設定している。アクティブマトリックス基板１は、この発明におけるマトリックス基板に相当し、放射線感応型の半導体２は、この発明における放射線感応型の半導体層に相当し、バイアス電圧印加用の共通電極３は、この発明における共通電極に相当し、収集電極１１は、この発明における収集電極に相当し、放射線検出有効エリアＳＡは、この発明における放射線検出有効エリアに相当する。【００４０】
図１に示すように、このアクティブマトリックス基板１の収集電極の入射面側に半導体２を積層し、その半導体２の入射側に共通電極３を面状に形成して積層している。そして、共通電極３の入射面にバイアス電圧給電用のリード線４を接続している。銅線等のリード線４を導電ペースト（例えば銀ペースト）を介して共通電極３に接続する。【００４１】
図２、図３に示すようにアクティブマトリクス基板１は、上述したように収集電極１１を形成し、蓄積・読み出し用電気回路１２を配設している。蓄積・読み出し用電気回路１２は、コンデンサ１２Ａやスイッチング素子としてのＴＦＴ（薄膜電界効果トランジスタ）１２Ｂおよびゲート線１２ａ，データ線１２ｂなどからなり、各収集電極１１毎に１個のコンデンサ１２Ａおよび１個のＴＦＴ１２Ｂが対応付けて接続されている。【００４２】
また、アクティブマトリックス基板１の蓄積・読み出し用電気回路１２の周囲にはゲートドライバ１３と電荷電圧変換型増幅器１４とマルチプレクサ１５とＡ／Ｄ変換器１６とを配設して接続している。これらのゲートドライバ１３、電荷電圧変換型増幅器１４、マルチプレクサ１５、Ａ／Ｄ変換器１６は、アクティブマトリックス基板１とは別基板で接続されている。なお、ゲートドライバ１３、電荷電圧変換型増幅器１４、マルチプレクサ１５、Ａ／Ｄ変換器１６の一部または全部を、アクティブマトリックス基板１に内蔵してもよい。【００４３】
ＦＰＤによってＸ線を検出する際には、バイアス供給電源（図示省略）からバイアス電圧を、バイアス電圧給電用のリード線４を介してバイアス電圧印加用の共通電極３に印加する。バイアス電圧を印加した状態で、放射線（実施例１〜４ではＸ線）の入射に伴って放射線感応型の半導体２で電荷を生成する。この生成された電荷を収集電極１１で一旦収集する。蓄積・読み出し用電気回路１２によって、収集された電荷を各収集電極１１毎の放射線検出信号（実施例１〜４ではＸ線検出信号）として取り出す。【００４４】
具体的には、収集電極１１で収集された電荷がコンデンサ１２Ａに一旦蓄積される。そして、ゲートドライバ１３からゲート線１２ａを介して読み出し信号を各ＴＦＴ１２Ｂのゲートに順に与える。読み出し信号を与えることで、読み出し信号が与えられたＴＦＴ１２ＢがＯＦＦからＯＮに移行する。その移行したＴＦＴ１２Ｂのソースに接続されたデータ線１２ｂがマルチプレクサ１５によって順に切り換え接続されるのにしたがって、コンデンサ１２Ａに蓄積された電荷を、ＴＦＴ１２Ｂからデータ線１２ｂを介して読み出す。読み出された電荷を電荷電圧変換型増幅器１４で増幅して、マルチプレクサ１５によって各収集電極１１毎の放射線検出信号（実施例１〜４ではＸ線検出信号）としてＡ／Ｄ変換器１６に送り出してアナログ値からディジタル値に変換する。【００４５】
例えば、ＦＰＤをＸ線透視撮影装置に備えた場合には、Ｘ線検出信号を後段の画像処理回路に送り込んで、画像処理を行って２次元Ｘ線透視画像等を出力する。２次元状マトリックス配列の各収集電極１１は、放射線画像（ここでは２次元Ｘ線透視画像）の各画素に対応する電極（画素電極）にそれぞれ対応している。放射線検出信号（実施例１〜４ではＸ線検出信号）を取り出すことで、放射線検出有効エリアＳＡに投影される放射線の２次元強度分布に応じた放射線画像（ここでは２次元Ｘ線透視画像）を作成することができる。つまり、後述する実施例２〜４も含めて、本実施例１に係るＦＰＤは、放射線検出有効エリアＳＡに投影される放射線（実施例１〜４ではＸ線）の２次元強度分布を検出することができる２次元アレイタイプの放射線検出器である。【００４６】
次に、ＦＰＤの各部構成についてより具体的に説明する。図１に示すように、半導体２および共通電極３の露出面上の表面全体を覆う絶縁樹脂層５をＦＰＤは備えている。絶縁樹脂層５の上側（入射側）に、アクティブマトリックス基板１と同程度の弾性および熱膨張率を持つ材料で形成された絶縁補助板６をＦＰＤは備えている。その他に、この発明の特徴部分の構造として、絶縁樹脂層５と絶縁補助板６との間に絶縁合成樹脂カバー７を介在させる。絶縁合成樹脂カバー７は絶縁樹脂層５と同程度の弾性および熱膨張率を持つ材料で形成されている。さらに、図１に示すように、放射線検出有効エリアＳＡを含んだ全面で、絶縁補助板６と絶縁合成樹脂カバー７とを接合材８によって接合する。絶縁樹脂層５は、この発明における絶縁樹脂層に相当し、絶縁補助板６は、この発明における絶縁補助板に相当し、絶縁合成樹脂カバー７は、この発明における絶縁樹脂カバーに相当し、接合材８は、この発明における接合材に相当する。【００４７】
端部（周辺領域）において、マトリックス基板１にスペーサ９を立設して、このスペーサ９に絶縁補助板６と絶縁合成樹脂カバー７とを支持する。このスペーサ９によってマトリックス基板１と絶縁補助板６・絶縁合成樹脂カバー７との間に所定の隙間を保ちながら、低粘度の常温硬化型エポキシ樹脂剤を注入して常温にて硬化することにより常温硬化型エポキシ樹脂剤からなる絶縁樹脂層５を当該隙間に形成する。このようにして、アクティブマトリックス基板１，（放射線感応型の）半導体２，（バイアス電圧印加用の）共通電極３，絶縁樹脂層５，絶縁合成樹脂カバー７および絶縁補助板６がこの順に積層される。【００４８】
アクティブマトリックス基板１には、例えばガラス基板が用いられる。アクティブマトリックス基板１のガラス基板は、例えば０．５ｍｍ〜１．５ｍｍ程度である。半導体２の厚さは、通常、０．５ｍｍ〜１．５ｍｍ前後の厚膜であり、面積は、例えば縦２０ｃｍ〜５０ｃｍ×横２０ｃｍ〜５０ｃｍ程度のものである。絶縁補助板６には、例えばホウケイ酸ガラス基板や石英ガラス基板などに代表されるガラス基板が用いられる。絶縁補助板６のガラス基板も、アクティブマトリックス基板１と同様に、例えば０．５ｍｍ〜１．５ｍｍ程度である。【００４９】
放射線感応型の半導体２は、高純度アモルファスセレン（ａ−Ｓｅ），Ｎａ等のアルカリ金属やＣｌ等のハロゲンもしくはＡｓやＴｅをドープしたセレンおよびセレン化合物のアモルファス半導体，ＣｄＴｅ，ＣｄＺｎＴｅ，ＰｂＩ2 ，ＨｇＩ2 ，ＴｌＢｒ等の非セレン系多結晶半導体のうちのいずれかであるのが好ましい。アモルファスセレン，アルカリ金属やハロゲンもしくはＡｓやＴｅをドープしたセレンおよびセレン化合物のアモルファス半導体，非セレン系多結晶半導体は、大面積化適性および厚膜化適性に優れる。特に、１０９  Ω以上、好ましくは１０１１Ω以上の比抵抗を有するａ−Ｓｅを半導体２に用いると大面積化適性および厚膜化適性が顕著に優れている。【００５０】
また、半導体２としては、上述した感応型の半導体２の他に、その入射面（図１では上面）または入射側と逆側の面（図１では下面）もしくは両面に形成されたキャリア選択性の高抵抗半導体層である中間層との組み合わせも含む。図４（ａ）に示すように、半導体２と共通電極３との間に中間層２ａを形成するとともに、半導体２と収集電極１１（図３を参照）との間に中間層２ｂを形成してもよいし、図４（ｂ）に示すように、半導体２と共通電極３との間のみに中間層２ａを形成してもよいし、図４（ｃ）に示すように、半導体２と収集電極１１（図３を参照）との間のみに中間層２ｂを形成してもよい。中間層２ａ，２ｂは、この発明におけるキャリア選択性の中間層に相当する。【００５１】
このように、キャリア選択性の中間層２ａ，２ｂを設けることにより暗電流を低減させることができる。ここで言うキャリア選択性とは半導体中の電荷移動媒体（キャリア）である電子と正孔とで、電荷移動作用への寄与率が著しく異なる性質を指す。【００５２】
半導体２とキャリア選択性の中間層２ａ，２ｂとの組み合わせ方としては、次のような態様が挙げられる。共通電極３に正のバイアス電圧を印加する場合には、中間層２ａに電子の寄与率が大きい材料を使用する。これにより共通電極３からの正孔の注入が阻止され、暗電流を低減させることができる。中間層２ｂには正孔の寄与率が大きい材料を使用する。これにより収集電極１１からの電子の注入が阻止され、暗電流を低減させることができる。【００５３】
逆に、共通電極３に負のバイアス電圧を印加する場合には、中間層２ａに正孔の寄与率が大きい材料を使用する。これにより共通電極３からの電子の注入が阻止され、暗電流を低減させることができる。中間層２ｂには電子の寄与率が大きい材料を使用する。これにより収集電極１１からの正孔の注入が阻止され、暗電流を低減させることができる。【００５４】
キャリア選択性の中間層２ａ，２ｂの厚さは、通常、０．１μｍ〜１０μｍの範囲が好ましい。中間層２ａ，２ｂの厚さが０．１μｍ未満では暗電流を十分に抑制できない傾向が現れ、逆に、厚さが１０μｍを越えると放射線検出の妨げとなる傾向（例えば感度が低下する傾向）が現れる。【００５５】
また、キャリア選択性の中間層２ａ，２ｂに用いられる半導体としては、Ｓｂ2 Ｓ3 ，ＺｎＴｅ，ＣｅＯ2 ，ＣｄＳ，ＺｎＳｅ，ＺｎＳ等の多結晶半導体、Ｎａ等のアルカリ金属やＣｌ等のハロゲンもしくはＡｓやＴｅをドープしたセレンおよびセレン化合物のアモルファス半導体が大面積化適性に優れるものとして挙げられる。【００５６】
中間層２ａ，２ｂに用いられる半導体のうち、電子の寄与が大きいものとして、ｎ型半導体であるＣｅＯ2 ，ＣｄＳ，ＣｄＳｅ，ＺｎＳｅ，ＺｎＳのような多結晶半導体や、アルカリ金属やＡｓやＴｅをドープして正孔の寄与率を低下させたアモルファスＳｅ等のアモルファス体が挙げられる。【００５７】
また、正孔の寄与が大きいものとして、ｐ型半導体であるＺｎＴｅのような多結晶半導体や、ハロゲンをドープして電子の寄与率を低下させたアモルファスＳｅ等のアモルファス体が挙げられる。【００５８】
さらに、Ｓｂ2 Ｓ3 ，ＣｄＴｅ，ＣｄＺｎＴｅ，ＰｂＩ2 ，ＨｇＩ2 ，ＴｌＢｒや、ノンドープのアモルファスＳｅまたはＳｅ化合物の場合、電子の寄与が大きいものと正孔の寄与が大きいもとの両方がある。これらの場合、製膜条件の調節で電子の寄与が大きいものでも、正孔の寄与が大きいものでも、選択形成することができる。【００５９】
また、半導体２と中間層２ａとの間に正孔移動剤あるいは電子移動剤を混入させたポリカーボネート等の有機膜層を形成してもよい。同様に、半導体２と中間層２ｂとの間に正孔移動剤あるいは電子移動剤を混入させたポリカーボネート等の有機膜層を形成してもよい。【００６０】
共通電極３については、例えば金（Ａｕ）やアルミニウム（Ａｌ）などで形成するのが好ましい。後述する実施例２〜４も含めて、本実施例１では、共通電極３を金で形成するために、金で蒸着を行う。【００６１】
絶縁樹脂層５は、上述したように常温硬化型エポキシ樹脂剤からなり、エポキシ樹脂が用いられる。なお、エポキシ樹脂以外の樹脂（例えばシリコーン樹脂）で絶縁樹脂層５を形成してもよい。絶縁樹脂層５のエポキシ樹脂は、共通電極３と絶縁合成樹脂カバー７との間の隙間が、例えば１ｍｍ〜２ｍｍ程度である。【００６２】
絶縁合成樹脂カバー７は、例えばポリカーボネート（ＰＣ），ポリエチレンテレフタレート（ＰＥＴ），ポリプロピレン（ＰＰ）などの高分子樹脂が用いられる。絶縁合成樹脂カバー７の高分子樹脂は、例えば０．５ｍｍ〜１．５ｍｍ程度である。絶縁合成樹脂カバー７に限定されず、例えば天然樹脂などのように絶縁樹脂カバーでさえあれば、特に限定されない。【００６３】
接合材８は、例えばシリコーン樹脂系の接着剤や粘着テープや合成ゴム（いわゆるゴム糊）などの柔軟性の高い接合材が用いられる。本実施例１では、上述したように、図１に示すように、放射線検出有効エリアＳＡを含んだ全面で、絶縁補助板６と絶縁合成樹脂カバー７とを接合材８によって接合している。スペーサ９は、例えばＰＣ樹脂やＡＢＳ樹脂等が用いられる。【００６４】
以上に述べた構成を有する本実施例１のフラットパネル型Ｘ線検出器（ＦＰＤ）によれば、絶縁樹脂カバー（各実施例では絶縁合成樹脂カバー７）を備え、マトリックス基板（各実施例ではアクティブマトリックス基板１），（放射線感応型の）半導体２，（バイアス電圧印加用の）共通電極３，絶縁樹脂層５，絶縁樹脂カバー（絶縁合成樹脂カバー７）および絶縁補助板６がこの順に積層されている。絶縁補助板６はマトリックス基板（アクティブマトリックス基板１）と同程度の弾性および熱膨張率を持つ材料で形成され、マトリックス基板（アクティブマトリックス基板１）と絶縁補助板６との間にこれらの層（半導体層２，共通電極３，絶縁樹脂層５および絶縁合成樹脂カバー７）が挟み込まれるので、温度変化によるＦＰＤの反り、これらの層の亀裂を防止することができる。【００６５】
また、絶縁樹脂カバー（各実施例では絶縁合成樹脂カバー７）は絶縁樹脂層５と同程度の弾性および熱膨張率を持つ材料で形成されているので、温度変化による応力が発生しにくく、絶縁樹脂層５に内部応力が蓄積しにくい。絶縁補助板６と絶縁樹脂カバー（絶縁合成樹脂カバー７）とを接合材８によって接合させれば、新たに設けた絶縁樹脂カバー（絶縁合成樹脂カバー７）によってＦＰＤの構造を実現することができる。その結果、環境が変わっても長寿命なフラットパネル型Ｘ線検出器（ＦＰＤ）を実現することができる。なお、「課題を解決するための手段」の段落でも述べたように、本明細書中での「同程度」とは、弾性（後述する引張弾性率）および熱膨張率（後述する線膨張係数）における各々の数値の桁が変わらない程度を示し、数値の数倍もしくは数分の一までの範囲である。【００６６】
図４でも述べたように、（放射線感応型の）半導体２と共通電極３との間に（キャリア選択性の）中間層２ａを形成するとともに、半導体２と収集電極１１（図３を参照）との間に中間層２ｂを形成してもよいし（図４（ａ）を参照）、半導体２と共通電極３との間のみに中間層２ａを形成してもよいし（図４（ｂ）を参照）、半導体２と収集電極１１（図３を参照）との間のみに中間層２ｂを形成してもよい（図４（ｃ）を参照）。半導体２の入射面（共通電極３側の面）あるいは当該入射面とは逆側の面（収集電極１１側の面）に中間層２ａ，２ｂを形成することで、暗電流を低減させることができる。【００６７】
後述する実施例２〜４も含めて、本実施例１では、絶縁樹脂層５はエポキシ樹脂であり、絶縁樹脂カバー（各実施例では絶縁合成樹脂カバー７）の引張弾性率（Tensile Modulus）が１ＧＰａ以上から１０ＧＰａ以下の範囲であり、線膨張係数が３０×１０−６／Ｋ以上から３００×１０−６／Ｋ以下の範囲である。また、マトリックス基板（各実施例ではアクティブマトリックス基板１）はガラスであり、絶縁補助板６の引張弾性率が５０ＧＰａ以上であり、線膨張係数が０．１×１０−６／Ｋ以上から１０×１０−６／Ｋ以下の範囲である。絶縁樹脂層５としてエポキシ樹脂を採用することにより、引張弾性率が１ＧＰａ以上から１０ＧＰａ以下の範囲であり、線膨張係数が３０×１０−６／Ｋ以上から３００×１０−６／Ｋ以下の範囲の絶縁樹脂カバー（絶縁合成樹脂カバー７）と、エポキシ樹脂からなる絶縁樹脂層５とは、互いに同程度の弾性および熱膨張率を持つ。また、マトリックス基板（アクティブマトリックス基板１）としてガラスを採用することにより、引張弾性率が５０ＧＰａ以上であり、線膨張係数が０．１×１０−６／Ｋ以上から１０×１０−６／Ｋ以下の範囲の絶縁補助板６と、ガラスからなるマトリックス基板（アクティブマトリックス基板１）とは、互いに同程度の弾性および熱膨張率を持つ。【００６８】
後述する実施例２〜４も含めて、本実施例１では、絶縁樹脂カバー（各実施例では絶縁合成樹脂カバー７）は高分子樹脂であるのが好ましい。高分子樹脂で絶縁樹脂カバー（絶縁合成樹脂カバー７）を簡易に形成することができる。特に、高分子樹脂として、ポリカーボネート（ＰＣ），ポリエチレンテレフタレート（ＰＥＴ），ポリプロピレン（ＰＰ）などが挙げられ、絶縁樹脂カバー（絶縁合成樹脂カバー７）は、ポリカーボネート，ポリエチレンテレフタレート，ポリプロピレンのいずれかである。【００６９】
絶縁補助板６はガラスであるのが好ましい。上述したように、マトリックス基板（各実施例ではアクティブマトリックス基板１）としてガラスを採用した場合には、ガラスからなる絶縁補助板６と、同じくガラスからなるマトリックス基板（アクティブマトリックス基板１）とは、互いに同程度の弾性および熱膨張率を持つ。【００７０】
また、絶縁補助板６と絶縁樹脂カバー（各実施例では絶縁合成樹脂カバー７）とを接合する接合材８は、シリコーン樹脂系の接着剤や粘着テープや合成ゴムなどが好ましく、これらを組み合わせてもよい。これらの材料は柔軟性の高い接合材であるので、温度変化による絶縁樹脂層５の膨張収縮に許容性があり、絶縁樹脂層５内の内部応力の発生をより一層抑制することができる。もちろん、接合材８は、これらの柔軟性の高い接合材に限定されず、エポキシ樹脂系の接着剤などに代表される柔軟性の低い接合材であってもよい。
【実施例２】
【００７１】
次に、図面を参照してこの発明の実施例２を説明する。図５は、実施例２に係るフラットパネル型Ｘ線検出器（ＦＰＤ）の概略断面図である。上述した実施例１と共通する箇所については、同じ符号を付してその説明を省略するとともに図示を省略する。【００７２】
上述した実施例１に係るＦＰＤでは、図１に示すように、放射線検出有効エリアＳＡを含んだ全面で、絶縁補助板６と絶縁合成樹脂カバー７とを接合材８によって接合したが、本実施例２に係るＦＰＤは、図５に示すように、絶縁補助板６と絶縁合成樹脂カバー７とは、放射線検出有効エリアＳＡを除く周辺領域のみで接合されている。【００７３】
このように、絶縁補助板６と絶縁樹脂カバー（各実施例では絶縁合成樹脂カバー７）とを接合する領域については特に限定されず、実施例１のように放射線検出有効エリアＳＡを含んだ全面であってもよいが、本実施例２のように絶縁補助板６と絶縁樹脂カバー（絶縁合成樹脂カバー７）とは、周辺領域のみで接合されているのが好ましい。この場合には、中央領域である放射線検出有効エリアＳＡには接合材がないので、柔軟性の高い接合材の効果と同じく、温度変化による絶縁樹脂層５の膨張収縮に許容性があり、絶縁樹脂層５内の内部応力の発生をより一層抑制することができる。したがって、絶縁補助板６と絶縁樹脂カバー（絶縁合成樹脂カバー７）とを柔軟性の低い接合材で周辺領域のみで接合することができる。もちろん、絶縁補助板６と絶縁樹脂カバー（絶縁合成樹脂カバー７）とを柔軟性の高い接合材で周辺領域のみで接合してもよい。また、実施例１でも述べたように、絶縁合成樹脂カバー７に限定されず、例えば天然樹脂などのように絶縁樹脂カバーでさえあれば、特に限定されない。
【実施例３】
【００７４】
次に、図面を参照してこの発明の実施例３を説明する。図６は、実施例３に係るフラットパネル型Ｘ線検出器（ＦＰＤ）の概略断面図である。上述した実施例１、２と共通する箇所については、同じ符号を付してその説明を省略するとともに図示を省略する。【００７５】
上述した実施例１、２に係るＦＰＤでは、図１、図５に示すように、絶縁樹脂層５の厚みが、共通電極３が形成された箇所では均一であったが、本実施例３に係るＦＰＤは、図６に示すように、実施例１、２に係るＦＰＤと図１１（特許文献３）とを組み合わせた構造である。【００７６】
すなわち、実施例１、２に係るＦＰＤにおいて、本実施例３では、放射線検出有効エリアＳＡでの絶縁樹脂層５の厚みが、放射線検出有効エリアＳＡ外にある周辺領域での絶縁樹脂層５の厚みよりも薄く形成されている。図６に示すように、放射線検出有効エリアＳＡでの絶縁樹脂層５の厚みを薄膜ＴＡとし、周辺領域での絶縁樹脂層５の厚みを厚膜ｔａとする。この構造の場合には、長寿命なフラットパネル型Ｘ線検出器（ＦＰＤ）を実現する効果に加えて、絶縁樹脂層５による放射線（実施例１〜４ではＸ線）の減衰を極力抑えることができる。【００７７】
具体的には、０．５ｔａ≧ＴＡ≧０．１ｔａの関係を満たすのが好ましい。放射線検出有効エリアＳＡでの絶縁樹脂層５の厚み（薄膜）ＴＡは、通常、０．１ｍｍ〜１．０ｍｍの範囲にあり、周辺領域での絶縁樹脂層５の厚み（厚膜）ｔａは、通常、１ｍｍ〜２ｍｍの範囲にある。【００７８】
この構造の場合において、図６（ａ）に示すように、絶縁合成樹脂カバー７を放射線検出有効エリアＳＡにて窪ませて一体形成し、絶縁合成樹脂カバー７が窪んだ窪み部分７Ａに絶縁補助板６を載せて接合する。絶縁合成樹脂カバー７が窪んだ分だけ、放射線検出有効エリアＳＡでの絶縁樹脂層５の厚み（薄膜）ＴＡを、周辺領域での絶縁樹脂層５の厚み（厚膜）ｔａよりも薄く形成することができる。【００７９】
この他にも、図６（ｂ）に示すように、放射線検出有効エリアＳＡが開口した固定枠２１の開口部分２１Ａに、絶縁補助板６および絶縁合成樹脂カバー７を互いに接合したものを内側から固定することで、絶縁合成樹脂カバー７，絶縁補助板６および固定枠２１の順に積層する。絶縁補助板６および絶縁合成樹脂カバー７が固定枠２１よりも内側に窪んだ分だけ、放射線検出有効エリアＳＡでの絶縁樹脂層５の厚み（薄膜）ＴＡを、周辺領域での絶縁樹脂層５の厚み（厚膜）ｔａよりも薄く形成することができる。固定枠２１は、この発明における固定枠に相当する。【００８０】
固定枠２１については、絶縁合成樹脂カバー７と同じ高分子樹脂であってもよいし、スペーサ９と同じＰＣ樹脂やＡＢＳ樹脂であってもよいし、絶縁合成樹脂カバー７やスペーサ９とは別の部材であってもよい。また、スペーサ９と固定枠２１とを一体形成してもよい。【００８１】
また、図６では、上述した実施例２と同様に、絶縁補助板６と絶縁合成樹脂カバー７とを、周辺領域のみで接合したものを組み合わせたが、上述した実施例１と同様に、放射線検出有効エリアＳＡを含んだ全面で、絶縁補助板６と絶縁合成樹脂カバー７とを接合材８によって接合したものを組み合わせてもよい。また、実施例１でも述べたように、絶縁合成樹脂カバー７に限定されず、例えば天然樹脂などのように絶縁樹脂カバーでさえあれば、特に限定されない。
【実施例４】
【００８２】
次に、図面を参照してこの発明の実施例４を説明する。図７は、実施例４に係るフラットパネル型Ｘ線検出器（ＦＰＤ）の概略断面図である。上述した実施例１〜３と共通する箇所については、同じ符号を付してその説明を省略するとともに図示を省略する。【００８３】
本実施例４に係るＦＰＤは、図７に示すように、絶縁補助板６と絶縁合成樹脂カバー７との間に弾性材料からなる緩衝材２２を介在させるのが好ましい。緩衝材２２には、例えばゴムやスポンジが用いられる。絶縁樹脂層５内の内部応力を緩衝材２２によって均一に分散させることができる。緩衝材２２は、この発明における緩衝材に相当する。【００８４】
緩衝材２２を介在させた場合において、図７（ａ）に示すように、緩衝材２２の両面に接合材８ａ，８ｂを設けて、絶縁補助板６と緩衝材２２とを当該接合材８ａによって接合するとともに、絶縁合成樹脂カバー７と緩衝材２２とを当該接合材８ｂによって接合することにより、絶縁補助板６と絶縁合成樹脂カバー７とを接合する。この他にも、図７（ｂ）に示すように、放射線検出有効エリアＳＡでは、絶縁補助板６と絶縁合成樹脂カバー７との間に緩衝材２２を介在させて、放射線検出有効エリアＳＡ外にある周辺領域では、絶縁補助板６と絶縁合成樹脂カバー７とを接合材８ｃによって直接的に接合する。【００８５】
もちろん、図７（ａ）の構造と図７（ｂ）の構造とを両方組み合わせてもよい。具体的には、図７（ｃ）に示すように、放射線検出有効エリアＳＡでは、緩衝材２２の両面に接合材８ａ，８ｂを設けて、絶縁補助板６と緩衝材２２とを当該接合材８ａによって接合するとともに、絶縁合成樹脂カバー７と緩衝材２２とを当該接合材８ｂによって接合することにより、絶縁補助板６と絶縁合成樹脂カバー７とを接合する。さらに、周辺領域では、絶縁補助板６と絶縁合成樹脂カバー７とを接合材８ｃによって直接的に接合する。【００８６】
図７（ａ）〜図７（ｃ）の緩衝材２２は導電性であってもよい。上述したゴムやスポンジに導電性フィラーを混入することにより導電性の緩衝材２２を形成してもよいし、カーボンなどの導電材料が弾性を有するように加工することにより導電性の緩衝材２２を形成してもよい。緩衝材２２が導電性である場合には、絶縁補助板６と絶縁合成樹脂カバー７との間に溜まる静電気を放電することができ、静電ノイズ防止効果が得られる。もちろん、緩衝材２２は導電性である必要はない。【００８７】
また、図７（ａ）、図７（ｃ）では、上述した実施例１と同様に、放射線検出有効エリアＳＡを含んだ全面で、絶縁補助板６と絶縁合成樹脂カバー７とを接合材８（８ａ，８ｂ）によって接合したものを組み合わせたが、上述した実施例２と同様に、絶縁補助板６と絶縁合成樹脂カバー７とを、周辺領域のみで接合したものを組み合わせてもよい。また、実施例３の構造を組み合わせてもよい。また、実施例１でも述べたように、絶縁合成樹脂カバー７に限定されず、例えば天然樹脂などのように絶縁樹脂カバーでさえあれば、特に限定されない。【００８８】
この発明は、上記実施形態に限られることはなく、下記のように変形実施することができる。【００８９】
（１）上述した各実施例では、放射線検出器としてＸ線検出器を例に採って説明したが、Ｘ線以外の放射線（例えばガンマ線）を検出する放射線検出器（例えばガンマ線検出器）にも適用できる。【００９０】
（２）上述した各実施例では、少なくとも周辺領域には、絶縁補助板６と絶縁樹脂カバー（各実施例では絶縁合成樹脂カバー７）とが接合材８により接合されていたが、放射線検出有効エリアＳＡのみに、絶縁補助板６と絶縁樹脂カバー（絶縁合成樹脂カバー７）とを接合材８により接合してもよい。実施例１のように放射線検出有効エリアＳＡを含んだ全面で、絶縁補助板６と絶縁樹脂カバー（絶縁合成樹脂カバー７）とを接合材８により接合する場合も含め、少なくとも検出有効エリアＳＡに、絶縁補助板６と絶縁樹脂カバー（絶縁合成樹脂カバー７）とを接合材８により接合するときには以下の作用・効果を奏する。すなわち、絶縁樹脂層５が硬化や重みにより凹んで、それに伴って検出有効エリアＳＡでの絶縁樹脂カバー（絶縁合成樹脂カバー７）も凹む可能性があるので、少なくとも検出有効エリアＳＡに、絶縁補助板６と絶縁樹脂カバー（絶縁合成樹脂カバー７）とを接合材８により接合することにより、絶縁樹脂カバー（絶縁合成樹脂カバー７）の凹みを防止することができる。【００９１】
（３）柔軟性の高い接合材と柔軟性の低い接合材とを両方組み合わせてもよい。例えば、周辺領域では柔軟性の低い接合材で接合し、放射線検出有効エリアＳＡでは柔軟性の高い接合材で接合する。【００９２】
（４）上述した各実施例では、マトリックス基板や絶縁補助板はガラスであったが、プラスチックフィルムなどに例示されるように絶縁性の基材となり得るものであれば、特に限定されない。【００９３】
（５）上述した各実施例では、リード線４はスペーサ９を貫通して側面から取り出しているが、他の部分（例えば絶縁合成樹脂カバー７と絶縁補助板６）を貫通して上面から取り出してもよい。
【符号の説明】
【００９４】
１  …  アクティブマトリックス基板
２  …  （放射線感応型の）半導体
２ａ、２ｂ  …  中間層
３  …  （バイアス電圧印加用の）共通電極
５  …  絶縁樹脂層
６  …  絶縁補助板
７  …  絶縁合成樹脂カバー
８  …  接合材
１１  …  収集電極
２１  …  固定枠
２２  …  緩衝材
ＳＡ  …  放射線検出有効エリア
【図１】
2013080251.tif 000003
【図２】
2013080251.tif 000004
【図３】
2013080251.tif 000005
【図４】
2013080251.tif 000006
【図５】
2013080251.tif 000007
【図６】
2013080251.tif 000008
【図７】
2013080251.tif 000009
【図８】
2013080251.tif 000010
【図９】
2013080251.tif 000011
【図１０】
2013080251.tif 000012
【図１１】
2013080251.tif 000013
【図１２】
2013080251.tif 000014
【図１３】
2013080251.tif 000015
【図１４】
2013080251.tif 000016
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
放射線の入射により電荷を生成して読み出すことにより放射線を検出する放射線検出器であって、
（ａ）前記電荷を収集する複数の収集電極が２次元マトリックス状に配列され、前記収集電極の各々から前記電荷に基づく放射線検出信号を読み出すマトリックス基板と、
（ｂ）前記放射線の入射により前記電荷を生成する放射線感応型の半導体層と、
（ｃ）前記放射線感応型の半導体層にバイアス電圧を印加する共通電極と、
（ｄ）前記放射線感応型の半導体層および前記共通電極の露出面上の表面全体を覆う絶縁樹脂層と、
（ｅ）絶縁樹脂カバーと、
（ｆ）絶縁補助板と
を備え、
（ａ）マトリックス基板，（ｂ）放射線感応型の半導体層，（ｃ）共通電極，（ｄ）絶縁樹脂層，（ｅ）絶縁樹脂カバーおよび（ｆ）絶縁補助板がこの順に積層されており、
前記絶縁補助板は前記マトリックス基板と同程度の弾性および熱膨張率を持つ材料で形成され、
前記絶縁樹脂カバーは前記絶縁樹脂層と同程度の弾性および熱膨張率を持つ材料で形成され、
前記絶縁補助板と前記絶縁樹脂カバーとは接合材によって接合されることを特徴とする放射線検出器。
【請求項２】
放射線の入射により電荷を生成して読み出すことにより放射線を検出する放射線検出器であって、
（ａ）前記電荷を収集する複数の収集電極が２次元マトリックス状に配列され、前記収集電極の各々から前記電荷に基づく放射線検出信号を読み出すマトリックス基板と、
（ｂ）前記放射線の入射により前記電荷を生成する放射線感応型の半導体層と、
（ｃ）前記放射線感応型の半導体層にバイアス電圧を印加する共通電極と、
（ｄ）前記放射線感応型の半導体層および前記共通電極の露出面上の表面全体を覆う絶縁樹脂層と、
（ｅ）絶縁樹脂カバーと、
（ｆ）絶縁補助板と
を備え、
（ａ）マトリックス基板，（ｂ）放射線感応型の半導体層，（ｃ）共通電極，（ｄ）絶縁樹脂層，（ｅ）絶縁樹脂カバーおよび（ｆ）絶縁補助板がこの順に積層されており、
前記絶縁補助板は、前記マトリックス基板の弾性率と桁数が変わらない弾性率を持ち、かつ前記マトリックス基板の熱膨張率と桁数が変わらない熱膨張率を持つ材料で形成され、
前記絶縁樹脂カバーは、前記絶縁樹脂層の弾性率と桁数が変わらない弾性率を持ち、かつ前記絶縁樹脂層の熱膨張率と桁数が変わらない熱膨張率を持つ材料で形成され、
前記絶縁補助板と前記絶縁樹脂カバーとは接合材によって接合されることを特徴とする放射線検出器。
【請求項３】
放射線の入射により電荷を生成して読み出すことにより放射線を検出する放射線検出器であって、
（ａ）前記電荷を収集する複数の収集電極が２次元マトリックス状に配列され、前記収集電極の各々から前記電荷に基づく放射線検出信号を読み出すマトリックス基板と、
（ｂ）前記放射線の入射により前記電荷を生成する放射線感応型の半導体層と、
（ｃ）前記放射線感応型の半導体層にバイアス電圧を印加する共通電極と、
（ｄ）前記放射線感応型の半導体層および前記共通電極の露出面上の表面全体を覆う絶縁樹脂層と、
（ｅ）絶縁樹脂カバーと、
（ｆ）絶縁補助板と
を備え、
（ａ）マトリックス基板，（ｂ）放射線感応型の半導体層，（ｃ）共通電極，（ｄ）絶縁樹脂層，（ｅ）絶縁樹脂カバーおよび（ｆ）絶縁補助板がこの順に積層されており、
前記絶縁樹脂層はエポキシ樹脂であり、
前記絶縁樹脂カバーの引張弾性率が１ＧＰａ以上から１０ＧＰａ以下の範囲であり、線膨張係数が３０×１０−６／Ｋ以上から３００×１０−６／Ｋ以下の範囲であり、
前記マトリックス基板はガラスであり、
前記絶縁補助板の引張弾性率が５０ＧＰａ以上であり、線膨張係数が０．１×１０−６／Ｋ以上から１０×１０−６／Ｋ以下の範囲であり、
前記絶縁補助板と前記絶縁樹脂カバーとは接合材によって接合されることを特徴とする放射線検出器。
【請求項４】
請求項１から請求項３のいずれかに記載の放射線検出器において、
前記放射線感応型の半導体層と前記共通電極との間にキャリア選択性の中間層を形成するとともに、
前記放射線感応型の半導体層と前記収集電極との間にキャリア選択性の中間層を形成することを特徴とする放射線検出器。
【請求項５】
請求項１から請求項３のいずれかに記載の放射線検出器において、
前記放射線感応型の半導体層と前記共通電極との間のみにキャリア選択性の中間層を形成することを特徴とする放射線検出器。
【請求項６】
請求項１から請求項３のいずれかに記載の放射線検出器において、
前記放射線感応型の半導体層と前記収集電極との間のみにキャリア選択性の中間層を形成することを特徴とする放射線検出器。
【請求項７】
請求項１から請求項６のいずれかに記載の放射線検出器において、
前記絶縁樹脂カバーは高分子樹脂であることを特徴とする放射線検出器。
【請求項８】
請求項７に記載の放射線検出器において、
前記絶縁樹脂カバーは、ポリカーボネート，ポリエチレンテレフタレート，ポリプロピレンのいずれかであることを特徴とする放射線検出器。
【請求項９】
請求項１から請求項８のいずれかに記載の放射線検出器において、
前記絶縁補助板はガラスであることを特徴とする放射線検出器。
【請求項１０】
請求項１から請求項９のいずれかに記載の放射線検出器において、
前記絶縁補助板と前記絶縁樹脂カバーとを接合する前記接合材は、シリコーン樹脂系の接着剤であることを特徴とする放射線検出器。
【請求項１１】
請求項１から請求項１０のいずれかに記載の放射線検出器において、
前記絶縁補助板と前記絶縁樹脂カバーとを接合する前記接合材は、粘着テープであることを特徴とする放射線検出器。
【請求項１２】
請求項１から請求項１１のいずれかに記載の放射線検出器において、
前記絶縁補助板と前記絶縁樹脂カバーとを接合する前記接合材は、合成ゴムであることを特徴とする放射線検出器。
【請求項１３】
請求項１から請求項１２のいずれかに記載の放射線検出器において、
前記絶縁補助板と前記絶縁樹脂カバーとは、放射線検出有効エリアを除く周辺領域のみで接合されることを特徴とする放射線検出器。
【請求項１４】
請求項１から請求項１３のいずれかに記載の放射線検出器において、
放射線検出有効エリアでの前記絶縁樹脂層の厚みが、放射線検出有効エリア外にある周辺領域での前記絶縁樹脂層の厚みよりも薄く形成されていることを特徴とする放射線検出器。
【請求項１５】
請求項１４に記載の放射線検出器において、
前記絶縁樹脂カバーを前記放射線検出有効エリアにて窪ませて一体形成し、
前記絶縁樹脂カバーが窪んだ窪み部分に前記絶縁補助板を載せて接合することを特徴とする放射線検出器。
【請求項１６】
請求項１４に記載の放射線検出器において、
前記放射線検出有効エリアが開口した固定枠を備え、
前記固定枠の開口部分に、前記絶縁補助板および前記絶縁樹脂カバーを互いに接合したものを内側から固定することで、前記絶縁樹脂カバー，前記絶縁補助板および前記固定枠の順に積層することを特徴とする放射線検出器。
【請求項１７】
請求項１から請求項１６のいずれかに記載の放射線検出器において、
前記絶縁補助板と前記絶縁樹脂カバーとの間に弾性材料からなる緩衝材を介在させることを特徴とする放射線検出器。
【請求項１８】
請求項１７に記載の放射線検出器において、
前記緩衝材の両面に前記接合材を設けて、
前記絶縁補助板と前記緩衝材とを当該接合材によって接合するとともに、前記絶縁樹脂カバーと前記緩衝材とを当該接合材によって接合することにより、前記絶縁補助板と前記絶縁樹脂カバーとを接合することを特徴とする放射線検出器。
【請求項１９】
請求項１７または請求項１８に記載の放射線検出器において、
放射線検出有効エリアでは、前記絶縁補助板と前記絶縁樹脂カバーとの間に前記緩衝材を介在させて、
放射線検出有効エリア外にある周辺領域では、前記絶縁補助板と前記絶縁樹脂カバーとを前記接合材によって直接的に接合することを特徴とする放射線検出器。
【請求項２０】
請求項１７から請求項１９のいずれかに記載の放射線検出器において、
前記緩衝材は導電性であることを特徴とする放射線検出器。
【手続補正２】
【補正対象書類名】明細書
【補正対象項目名】００２２
【補正方法】変更
【補正の内容】
【００２２】
このような知見に基づくこの発明は、次のような構成をとる。
すなわち、この発明に係る放射線検出器は、放射線の入射により電荷を生成して読み出すことにより放射線を検出する放射線検出器であって、（ａ）前記電荷を収集する複数の収集電極が２次元マトリックス状に配列され、前記収集電極の各々から前記電荷に基づく放射線検出信号を読み出すマトリックス基板と、（ｂ）前記放射線の入射により前記電荷を生成する放射線感応型の半導体層と、（ｃ）前記放射線感応型の半導体層にバイアス電圧を印加する共通電極と、（ｄ）前記放射線感応型の半導体層および前記共通電極の露出面上の表面全体を覆う絶縁樹脂層と、（ｅ）絶縁樹脂カバーと、（ｆ）絶縁補助板とを備え、（ａ）マトリックス基板，（ｂ）放射線感応型の半導体層，（ｃ）共通電極，（ｄ）絶縁樹脂層，（ｅ）絶縁樹脂カバーおよび（ｆ）絶縁補助板がこの順に積層されており、前記絶縁補助板は前記マトリックス基板と同程度の弾性および熱膨張率を持つ材料で形成され、前記絶縁樹脂カバーは前記絶縁樹脂層と同程度の弾性および熱膨張率を持つ材料で形成され、前記絶縁補助板と前記絶縁樹脂カバーとは接合材によって接合されることを特徴とするものである。
また、この発明に係る放射線検出器とは別の放射線検出器は、放射線の入射により電荷を生成して読み出すことにより放射線を検出する放射線検出器であって、（ａ）前記電荷を収集する複数の収集電極が２次元マトリックス状に配列され、前記収集電極の各々から前記電荷に基づく放射線検出信号を読み出すマトリックス基板と、（ｂ）前記放射線の入射により前記電荷を生成する放射線感応型の半導体層と、（ｃ）前記放射線感応型の半導体層にバイアス電圧を印加する共通電極と、（ｄ）前記放射線感応型の半導体層および前記共通電極の露出面上の表面全体を覆う絶縁樹脂層と、（ｅ）絶縁樹脂カバーと、（ｆ）絶縁補助板とを備え、（ａ）マトリックス基板，（ｂ）放射線感応型の半導体層，（ｃ）共通電極，（ｄ）絶縁樹脂層，（ｅ）絶縁樹脂カバーおよび（ｆ）絶縁補助板がこの順に積層されており、前記絶縁補助板は、前記マトリックス基板の弾性率と桁数が変わらない弾性率を持ち、かつ前記マトリックス基板の熱膨張率と桁数が変わらない熱膨張率を持つ材料で形成され、前記絶縁樹脂カバーは、前記絶縁樹脂層の弾性率と桁数が変わらない弾性率を持ち、かつ前記絶縁樹脂層の熱膨張率と桁数が変わらない熱膨張率を持つ材料で形成され、前記絶縁補助板と前記絶縁樹脂カバーとは接合材によって接合されることを特徴とするものである。
【手続補正３】
【補正対象書類名】明細書
【補正対象項目名】００２５
【補正方法】変更
【補正の内容】
【００２５】
上述したこれらの発明の放射線検出器とは別の放射線検出器は、放射線の入射により電荷を生成して読み出すことにより放射線を検出する放射線検出器であって、（ａ）前記電荷を収集する複数の収集電極が２次元マトリックス状に配列され、前記収集電極の各々から前記電荷に基づく放射線検出信号を読み出すマトリックス基板と、（ｂ）前記放射線の入射により前記電荷を生成する放射線感応型の半導体層と、（ｃ）前記放射線感応型の半導体層にバイアス電圧を印加する共通電極と、（ｄ）前記放射線感応型の半導体層および前記共通電極の露出面上の表面全体を覆う絶縁樹脂層と、（ｅ）絶縁樹脂カバーと、（ｆ）絶縁補助板とを備え、（ａ）マトリックス基板，（ｂ）放射線感応型の半導体層，（ｃ）共通電極，（ｄ）絶縁樹脂層，（ｅ）絶縁樹脂カバーおよび（ｆ）絶縁補助板がこの順に積層されており、前記絶縁樹脂層はエポキシ樹脂であり、前記絶縁樹脂カバーの引張弾性率が１ＧＰａ以上から１０ＧＰａ以下の範囲であり、線膨張係数が３０×１０−６／Ｋ以上から３００×１０−６／Ｋ以下の範囲であり、前記マトリックス基板はガラスであり、前記絶縁補助板の引張弾性率が５０ＧＰａ以上であり、線膨張係数が０．１×１０−６／Ｋ以上から１０×１０−６／Ｋ以下の範囲であり、前記絶縁補助板と前記絶縁樹脂カバーとは接合材によって接合されることを特徴とするである。絶縁樹脂層としてエポキシ樹脂を採用することにより、引張弾性率が１ＧＰａ以上から１０ＧＰａ以下の範囲であり、線膨張係数が３０×１０−６／Ｋ以上から３００×１０−６／Ｋ以下の範囲の絶縁樹脂カバーと、エポキシ樹脂からなる絶縁樹脂層とは、互いに同程度の弾性および熱膨張率を持つ。また、マトリックス基板としてガラスを採用することにより、引張弾性率が５０ＧＰａ以上であり、線膨張係数が０．１×１０−６／Ｋ以上から１０×１０−６／Ｋ以下の範囲の絶縁補助板と、ガラスからなるマトリックス基板とは、互いに同程度の弾性および熱膨張率を持つ。
【手続補正４】
【補正対象書類名】明細書
【補正対象項目名】００２９
【補正方法】変更
【補正の内容】
【００２９】
また、絶縁補助板と絶縁樹脂カバーとを接合する領域については特に限定されず、例えば放射線検出有効エリアを含んだ全面であってもよいが、絶縁補助板と絶縁樹脂カバーとは、放射線検出有効エリアを除く周辺領域のみで接合されているのが好ましい。この場合には、中央領域である放射線検出有効エリアには接合材がないので、柔軟性の高い接合材の効果と同じく、温度変化による絶縁樹脂層の膨張収縮に許容性があり、絶縁樹脂層内の内部応力の発生をより一層抑制することができる。したがって、絶縁補助板と絶縁樹脂カバーとを柔軟性の低い接合材で周辺領域のみで接合することができる。もちろん、絶縁補助板と絶縁樹脂カバーとを柔軟性の高い接合材で周辺領域のみで接合してもよい。
【手続補正５】
【補正対象書類名】明細書
【補正対象項目名】００６７
【補正方法】変更
【補正の内容】
【００６７】
後述する実施例２〜４も含めて、本実施例１では、絶縁樹脂層５はエポキシ樹脂であり、絶縁樹脂カバー（各実施例では絶縁合成樹脂カバー７）の引張弾性率（Tensile Modulus）が１ＧＰａ以上から１０ＧＰａ以下の範囲であり、線膨張係数が３０×１０−６／Ｋ以上から３００×１０−６／Ｋ以下の範囲である。また、マトリックス基板（各実施例ではアクティブマトリックス基板１）はガラスであり、絶縁補助板６の引張弾性率が５０ＧＰａ以上であり、線膨張係数が０．１×１０−６／Ｋ以上から１０×１０−６／Ｋ以下の範囲であり、絶縁補助板６と絶縁樹脂カバー（絶縁合成樹脂カバー７）とは接合材８によって接合される。絶縁樹脂層５としてエポキシ樹脂を採用することにより、引張弾性率が１ＧＰａ以上から１０ＧＰａ以下の範囲であり、線膨張係数が３０×１０−６／Ｋ以上から３００×１０−６／Ｋ以下の範囲の絶縁樹脂カバー（絶縁合成樹脂カバー７）と、エポキシ樹脂からなる絶縁樹脂層５とは、互いに同程度の弾性および熱膨張率を持つ。また、マトリックス基板（アクティブマトリックス基板１）としてガラスを採用することにより、引張弾性率が５０ＧＰａ以上であり、線膨張係数が０．１×１０−６／Ｋ以上から１０×１０−６／Ｋ以下の範囲の絶縁補助板６と、ガラスからなるマトリックス基板（アクティブマトリックス基板１）とは、互いに同程度の弾性および熱膨張率を持つ。
【手続補正６】
【補正対象書類名】明細書
【補正対象項目名】００７３
【補正方法】変更
【補正の内容】
【００７３】
このように、絶縁補助板６と絶縁樹脂カバー（各実施例では絶縁合成樹脂カバー７）とを接合する領域については特に限定されず、実施例１のように放射線検出有効エリアＳＡを含んだ全面であってもよいが、本実施例２のように絶縁補助板６と絶縁樹脂カバー（絶縁合成樹脂カバー７）とは、放射線検出有効エリアＳＡを除く周辺領域のみで接合されているのが好ましい。この場合には、中央領域である放射線検出有効エリアＳＡには接合材がないので、柔軟性の高い接合材の効果と同じく、温度変化による絶縁樹脂層５の膨張収縮に許容性があり、絶縁樹脂層５内の内部応力の発生をより一層抑制することができる。したがって、絶縁補助板６と絶縁樹脂カバー（絶縁合成樹脂カバー７）とを柔軟性の低い接合材で周辺領域のみで接合することができる。もちろん、絶縁補助板６と絶縁樹脂カバー（絶縁合成樹脂カバー７）とを柔軟性の高い接合材で周辺領域のみで接合してもよい。また、実施例１でも述べたように、絶縁合成樹脂カバー７に限定されず、例えば天然樹脂などのように絶縁樹脂カバーでさえあれば、特に限定されない。
【手続補正７】
【補正対象書類名】明細書
【補正対象項目名】００８１
【補正方法】変更
【補正の内容】
【００８１】
また、図６では、上述した実施例２と同様に、絶縁補助板６と絶縁合成樹脂カバー７とを、放射線検出有効エリアＳＡを除く周辺領域のみで接合したものを組み合わせたが、上述した実施例１と同様に、放射線検出有効エリアＳＡを含んだ全面で、絶縁補助板６と絶縁合成樹脂カバー７とを接合材８によって接合したものを組み合わせてもよい。また、実施例１でも述べたように、絶縁合成樹脂カバー７に限定されず、例えば天然樹脂などのように絶縁樹脂カバーでさえあれば、特に限定されない。
【手続補正８】
【補正対象書類名】明細書
【補正対象項目名】００８７
【補正方法】変更
【補正の内容】
【００８７】
また、図７（ａ）、図７（ｃ）では、上述した実施例１と同様に、放射線検出有効エリアＳＡを含んだ全面で、絶縁補助板６と絶縁合成樹脂カバー７とを接合材８（８ａ，８ｂ）によって接合したものを組み合わせたが、上述した実施例２と同様に、絶縁補助板６と絶縁合成樹脂カバー７とを、放射線検出有効エリアＳＡを除く周辺領域のみで接合したものを組み合わせてもよい。また、実施例３の構造を組み合わせてもよい。また、実施例１でも述べたように、絶縁合成樹脂カバー７に限定されず、例えば天然樹脂などのように絶縁樹脂カバーでさえあれば、特に限定されない。
【国際調査報告】
2013080251.tif 000017
2013080251.tif 000018
2013080251.tif 000019
2013080251.tif 000020